(57)【要約】【課題】質感の表現力を向上させる印刷物、印刷物形成装置、印刷物形成方法、及びプログラムを提供する。【解決手段】領域毎に異なる凹凸が付された上面を有する下層と、前記下層の上に設けられて画像を形成し、入射した光の一部を前記下層に透過する画像層と、前記画像層の上に設けられ、領域毎に異なる凹凸が付された上面を有し、入射した光の一部を前記画像層に透過する表面層とを備える。これにより、様々な質感を表現することができ、質感を十分に表現できる。【選択図】図１
2011000870.tif 000002
【特許請求の範囲】
【請求項１】
領域毎に異なる凹凸が付された上面を有する下層と、
前記下層の上に設けられて画像を形成し、入射した光の一部を前記下層に透過する画像層と、
前記画像層の上に設けられ、領域毎に異なる凹凸が付された上面を有し、入射した光の一部を前記画像層に透過する表面層と
を備える印刷物。
【請求項２】
前記下層は、
予め前記印刷物に照射される光の方向及び前記印刷物を観察する人の観察方向がわかっている場合に、照からせたい前記領域ほど、前記印刷物に照射される光の鏡面反射の反射方向が、該印刷物を観察する人の観察方向となる傾斜を有している
請求項１に記載の印刷物。
【請求項３】
前記下層は、
予め前記印刷物に照射される光の方向及び前記印刷物を観察する人の観察方向がわかっている場合に、照からせたい前記領域ほど、該領域に含まれる複数の微小領域のうち、鏡面反射の反射方向が前記観察方向となる傾斜を有する微小領域の数の割合が大きい
請求項１に記載の印刷物。
【請求項４】
前記表面層は、
予め前記印刷物に照射される光の方向及び前記印刷物を観察する人の観察方向がわかっている場合に、照からせたい前記領域ほど、前記印刷物に照射される光の鏡面反射の反射方向が、該印刷物を観察する人の観察方向となる傾斜を有している
請求項１から３の何れかにに記載の印刷物。
【請求項５】
前記表面層は、
予め前記印刷物に照射される光の方向及び前記印刷物を観察する人の観察方向がわかっている場合に、照からせたい前記領域ほど、該領域に含まれる複数の微小領域のうち、鏡面反射の反射方向が前記観察方向となる傾斜を有する微小領域の数の割合が大きい
請求項１から３の何れかに記載の印刷物。
【請求項６】
前記下層の横方向に沿った複数の前記領域は、上面に異なる凹凸を有する
請求項１から５の何れかに記載の印刷物。
【請求項７】
前記表面層の横方向に沿った複数の前記領域は、上面に異なる凹凸を有する
請求項１から６の何れかに記載の印刷物。
【請求項８】
上面の領域毎に凹凸の付いた下層を形成する下層形成部と、
前記下層の上に画像を印刷して画像層を形成する画像層形成部と、
前記画像層の上に領域毎に異なる凹凸の付いた表面層を形成する表面層形成部と
を備える印刷物形成装置。
【請求項９】
前記下層形成部は、
前記領域毎に予め定められた鏡面反射の方向に基づいて、前記領域毎に傾斜を形成する
請求項８に記載の印刷物形成装置。
【請求項１０】
前記下層形成部は、
予め印刷物に照射される光の入射方向と及び前記印刷物を観察する人の観察方向がわかっている場合に、前記領域毎に予め定められた光沢度合いに応じて、前記領域毎の傾斜を形成する
請求項９に記載の印刷物形成装置。
【請求項１１】
前記下層形成部は、
前記領域毎に予め定められた光沢度合いに応じて、前記領域に含まれる複数の微小領域の傾斜を形成する
請求項１０に記載の印刷物形成装置。
【請求項１２】
前記表面層形成部は、
前記領域毎に予め定められた鏡面反射の方向に基づいて、前記領域毎に傾斜を形成する
請求項８から１１の何れかに記載の印刷物形成装置。
【請求項１３】
前記表面層形成部は、
予め印刷物に照射される光の入射方向と及び前記印刷物を観察する人の観察方向がわかっている場合に、前記領域毎に予め定められた光沢度合いに応じて、前記領域毎の傾斜を形成する
請求項１２に記載の印刷物形成装置。
【請求項１４】
前記表面層形成部は、
前記領域毎に予め定められた光沢度合いに応じて、前記領域に含まれる複数の微小領域の傾斜を形成する
請求項１３に記載の印刷物形成装置。
【請求項１５】
コンピュータを、
上面の領域毎に凹凸の付いた下層を形成する下層形成部、
前記下層の上に画像を印刷して画像層を形成する画像層形成部、
前記画像層の上面に領域毎に異なる凹凸の付いた表面層を形成する表面層形成部
として機能させるプログラム。
【請求項１６】
上面の領域毎に凹凸の付いた下層を形成する工程と、
前記下層の上に画像を印刷して画像層を形成する工程と、
前記画像層の上面に領域毎に異なる凹凸の付いた表面層を形成する工程と
を備える印刷物形成方法。
【発明の詳細な説明】
【技術分野】
【０００１】
本発明は、印刷物、印刷物形成装置、印刷物形成方法、及びプログラムに関する。
【背景技術】
【０００２】
従来、特許文献１に示すように、液体組成物の付与方法を異ならせることにより、印刷画像表面の状態を制御して、複数段階の光沢感を表現する技術が知られている。
【特許文献１】特開２００４−１２２４９６号公報
【発明の開示】
【発明が解決しようとする課題】
【０００３】
印刷画像の表面の鏡面反射率を変えるだけなので、印刷画像の質感を十分に表現できない。
【課題を解決するための手段】
【０００４】
上記課題を解決するために、本発明の第１の態様においては、印刷物であって、領域毎に異なる凹凸が付された上面を有する下層と、前記下層の上に設けられて画像を形成し、入射した光の一部を前記下層に透過する画像層と、前記画像層の上に設けられ、領域毎に異なる凹凸が付された上面を有し、入射した光の一部を前記画像層に透過する表面層とを備える。
【０００５】
前記下層は、予め前記印刷物に照射される光の方向及び前記印刷物を観察する人の観察方向がわかっている場合に、照からせたい領域ほど、前記印刷物に照射される光の鏡面反射の反射方向が、該印刷物を観察する人の観察方向となる傾斜を有してよい。ここで、印刷物に照射される光の方向および観察する人の観察方向は以下のように例示できる。一例目として、高級絵画印刷物を観賞対象とする場合、印刷物は部屋の側壁の上または側壁に沿って展示される。この場合の印刷物の高さは、観察者の目の高さと略同一となり、観察者が立位している場合で1．３から１．８m程度が想定される。観察者の観察方向は、鑑賞対象となる印刷物の略法線方向となる。部屋の天井または壁に取り付けられたスポット照明により照明されることが想定されるので、印刷物の法線方向及び鉛直方向を含む平面での上方４５度から７０度程度で照明されることが多くなり、この角度が照明方向の代表値として想定される。但し、印刷物の法線方向及び鉛直方向を含む平面より印刷物のやや側方の上方から照明されることも想定される。二例目として、オフィス環境において机上で印刷物を鑑賞対象とする場合が上げられ、この代表的な照明環境は、窪田悟著、財団法人労働科学研究所出版部「液晶ディスプレイの生態学」の５４頁の図２２に例示される環境が代表される。机上の印刷物を鑑賞対象とする場合、観察方向は印刷物の法線方向が想定され、照明方向は印刷物の上方１．６ｍの天井全面に配置された蛍光灯の方位によって規定される。例えば、照明方向は印刷物の上方１７度から９０度、側方の広がりは角度にして±４５度と想定される。実際には、そのオフィス環境に応じて、印刷物を照明できる蛍光灯から照明方向を考えればよい。
【０００６】
前記下層は、予め前記印刷物に照射される光の方向及び前記印刷物を観察する人の観察方向がわかっている場合に、照からせたい前記領域ほど、該領域に含まれる複数の微小領域のうち、鏡面反射の反射方向が前記観察方向となる傾斜を有する微小領域の数の割合が大きくてよい。
【０００７】
前記表面層は、予め前記印刷物に照射される光の方向及び前記印刷物を観察する人の観察方向がわかっている場合に、照からせたい領域ほど、前記印刷物に照射される光の鏡面反射の反射方向が、該印刷物を観察する人の観察方向となる傾斜を有してよい。
【０００８】
前記表面層は、予め前記印刷物に照射される光の方向及び前記印刷物を観察する人の観察方向がわかっている場合に、照からせたい前記領域ほど、該領域に含まれる複数の微小領域のうち、鏡面反射の反射方向が前記観察方向となる傾斜を有する微小領域の数の割合が大きくてよい。
【０００９】
前記下層の横方向に沿った複数の領域は、上面に異なる凹凸を有する。
【００１０】
前記表面層の横方向に沿った複数の領域は、上面に異なる凹凸を有する。
【００１１】
上記課題を解決するために、本発明の第２の態様においては、印刷物形成装置であって、上面の領域毎に凹凸の付いた下層を形成する下層形成部と、前記下層の上に画像を印刷して画像層を形成する画像層形成部と、前記画像層の上に領域毎に異なる凹凸の付いた表面層を形成する表面層形成部とを備える。
【００１２】
前記下層形成部は、前記領域毎に予め定められた鏡面反射の方向に基づいて、前記領域毎に傾斜を形成してよい。
【００１３】
前記下層形成部は、予め印刷物に照射される光の入射方向と及び前記印刷物を観察する人の観察方向がわかっている場合に、前記領域毎に予め定められた光沢度合いに応じて、前記領域毎の傾斜を形成してよい。
【００１４】
前記下層形成部は、前記領域毎に予め定められた光沢度合いに応じて、前記領域に含まれる複数の微小領域の傾斜を形成してよい。
【００１５】
前記表面層形成部は、前記領域毎に予め定められた鏡面反射の方向に基づいて、前記領域毎に傾斜を形成してよい。
【００１６】
前記表面層形成部は、予め印刷物に照射される光の入射方向と及び前記印刷物を観察する人の観察方向がわかっている場合に、前記領域毎に予め定められた光沢度合いに応じて、前記領域毎の傾斜を形成してよい。
【００１７】
前記表面層形成部は、前記領域毎に予め定められた光沢度合いに応じて、前記領域に含まれる複数の微小領域の傾斜を形成してよい。
【００１８】
上記課題を解決するために、本発明の第２の態様においては、プログラムであって、コンピュータを、上面の領域毎に凹凸の付いた下層を形成する下層形成部、前記下層の上に画像を印刷して画像層を形成する画像層形成部、前記画像層の上面に領域毎に異なる凹凸の付いた表面層を形成する表面層形成部として機能させる。
【００１９】
上記課題を解決するために、本発明の第３の態様においては、印刷物形成方法であって、上面の領域毎に凹凸の付いた下層を形成する工程と、前記下層の上に画像を印刷して画像層を形成する工程と、前記画像層の上面に領域毎に異なる凹凸の付いた表面層を形成する工程とを備える。
【００２０】
なお、上記の発明の概要は、本発明の必要な特徴の全てを列挙したものではない。また、これらの特徴群のサブコンビネーションもまた、発明となりうる。
【発明を実施するための最良の形態】
【００２１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２２】
図１、及び図２は、本実施の形態の印刷物１００の一例を示す。印刷物１００は、表面層１０１と、画像層１０２と、及び下層１０３を備える。下層１０３は、画像が印刷される下地となる。下層１０３の材質は紙であってよい。また、下層１０３の材質は、木であってもよく、プラスティックであってもよい。要は、下層１０３は、その上に画像が印刷できるものであればよい。また、下層１０３の上面には、印刷される画像の部分領域毎に異なる凹凸が付されている。また、下層１０３の上面に拡散性のインクが塗布されていてもよい。下層１０３の凹凸は、下地が有する凹凸と拡散性のインクによって形成されてもよい。
【００２３】
画像層１０２は、下層の上に設けられて画像を形成する。つまり、下層１０３の上に印刷された画像が画像層となる。また、下層１０３の上に画像を印刷したときの顔料、塗料等のインクの層が画像層１０２となる。インクは透明又は半透明の有色インクであってもよい。また、画像層１０２は、入射した光の一部を下層１０３に透過する。表面層１０１は、画像層１０２の上に設けられる。表面層１０１は、表面光沢を調整する。表面層１０１は、透明トナー、透明インク等の無色透明の材料が好ましい。また、表面層１０１は、入射した光の一部を画像層１０２に透過する。表面層１０１は、印刷される画像の部分領域毎に異なる凹凸が付されている。
【００２４】
図１は、表面層１０１を反射する光の様子の一例を示す。表面層１０１は、上面に、画像層１０２が形成する画像の部分領域毎に異なる凹凸を有する。この表面層１０１の凹凸は、表面層１０１の表面粗さとなる。つまり、凹凸の度合いが大きいほど、表面が粗い。図１を見ると、表面層１０１は、凹凸がない若しくは凹凸が殆どない領域１１０と、凹凸がある領域１１１及び領域１１２とを有する。領域１１１は、領域１１２に比べ凹凸の度合いが小さい。つまり、領域１１１は、領域１１２に比べ表面が粗くない。領域１１０は、凹凸度合いがかなり小さいので、光沢度合いが高くなる。また、領域１１１は、領域１１０より凹凸度合いが大きいので、光沢度合いは領域１１０より低い。また、領域１１２も、領域１１０より凹凸度合いが大きいので、光沢度合いは領域１１０より低い。また、領域１１２は、領域１１１よりも凹凸度合いが大きいので、光沢度合いは領域１１１より低くなる。表面が粗くなればなるほど、光沢感が表現されなくなるので、領域１１０が最も光沢感が高く、次に、領域１１１の光沢感が高くなり、領域１１２が最も光沢感が最も低くなる。また、表面層１０１の光沢度合いは、表面層１０１の上面の凹凸の法線方向の分布の広がり具合によって変わる。例えば、凹凸の法線方向の分布の広がりが狭い場合は、光沢感が高くなり、凹凸の法線方向の分布の広がり具合が広い場合は光沢感が低くなる。領域１１２は、領域１１１より凹凸の法線方向の分布の広がり具合が広いとする。凹凸度合いが高くなればなるほど、凹凸の法線方向の分布の広がり具合が広くなる。表面の粗さは、凹凸の法線方向の分布の広がり具合を示す。
【００２５】
表面層１０１の凹凸によって、鏡面反射、ヘイズ反射、拡散反射の光の調整することができる。表面層１０１の凹凸の傾斜角度、つまり、表面角度調整によって、鏡面反射、ヘイズ反射、拡散反射の光を調整する。また、面積変調による表面角度調整を行ってもよい。面積変調とは 、１つの画素を、それより小さいドットの集合体として表現するときに、異なる色のインクドットの面積比で混合比を表現する。マクロ的にこの画素を見ると、あたかもその混合比でインクが混合されたように見える。インクの色毎に応じて、表面層１０１の表面角度調整を行っても良い。
【００２６】
ここで、表面層１０１の領域毎に付される凹凸の度合いは、画像層１０２で形成された画像の内容に応じて定められる。それぞれの領域の被写体を表面層１０１で照からせたい度合いに応じて、表面層１０１の上面の凹凸度合いが形成されてよい。例えば、画像層１０２で形成された画像のうち、Ａ領域に表面層１０１で光沢を持たせたい場合は、Ａ領域に対応する表面層１０１の領域、つまり、Ａ領域の上にある表面層１０１の領域の凹凸度合いを小さくする。また、画像層１０２で形成された画像のうち、Ｂ領域に表面層１０１で光沢を持たせたくない場合は、Ｂ領域の上にある表面層１０１の領域の凹凸度合いをＡ領域の凹凸度合いより大きくする。このように、画像層１０２で形成された画像のそれぞれの領域に持たせたい表面層１０１による光沢度合いに応じて、表面層１０１のそれぞれの領域の凹凸度合いを決める。また、表面層１０１は、画像層１０２で形成される画像の被写体領域毎に異なる凹凸が形成されてよい。また、異なる凹凸の境界は、画像層１０２が形成する画像から定められる。また、異なる凹凸の境界は、被写体の境界であってもよい。
【００２７】
この表面層１０１のそれぞれの領域の凹凸度合いは、ユーザが指定したそれぞれの領域の光沢度合いに応じて決まるようにしてもよく、また画像層１０２が形成する画像の画像データに基づいて自動的に決定された光沢度合いに応じて決まるようにしてもよい。表面層１０１のそれぞれの領域は、予め定められた光沢度合いに応じて決められてよい。光沢度合いの自動決定は、画像データを解析することにより、被写体の種類毎に表面層１０１の光沢度合いを決定してよい。被写体の種類毎に光沢度合いを記録したテーブルによって光沢度合いを自動的に決定してよい。また、「心理学評論Ｖｏｌ．５１．ＮＯ２」のページ２３５〜２４９に記載されているように、輝度ヒストグラムの歪みを評価することで光沢度合いを決定してもよい。また、被写体に写りこむ光源像の大きさ、光現像の強さに応じて光沢度合いを決定してもよい。また、表面層１０１のそれぞれの領域の凹凸度合いを、ユーザが指定してもよい。表面層１０１は、入射された光を反射するので、入射された光の色をそのまま反射する。例えば、蛍光灯などの光が入射されたされた場合は、反射される光は白色の光となる。また、表面層１０１の上面は、第１の方向に凹凸が形成されてよい。また、表面層１０１の上面は、第２の方向に凹凸が形成されなくてよい。第１の方向とは、画像層１０２が形成する画像の横方向であってよい。また、第２の方向とは、画像層１０２が形成する画像の縦方向であってよい。つまり、表面層１０１の上面は、画像の横方向に沿って異なる凹凸を有してよい。人は、印刷物に印刷された画像を見る場合において、縦方向より横方向に視線を動かしやすい。したがって、画像の横方向に沿って、凹凸を異ならせることで、人が視線を横方向に動かしたときに、表面層１０１の光沢度が変わるように見える。
【００２８】
図２は、下層１０３を反射する光の様子の一例を示す。下層１０３は、上面に、画像層１０２が形成する画像の部分領域毎に異なる凹凸を有する。この下層１０３の凹凸は、下層１０３の表面粗さとなる。つまり、凹凸の度合いが大きいほど、表面が粗い。下層１０３は、凹凸がない若しくは凹凸が殆どない領域１２１と、凹凸がある領域１２２及び領域１２３とを有する。領域１２２は、領域１２３に比べ、凹凸の度合いが小さい。つまり、領域１２２は、領域１２３に比べ表面が粗くない。領域１２１は、凹凸度合いがかなり小さいので、光沢度合いが高くなる。また、領域１２２は、領域１２１より凹凸度合いが大きいので、光沢度合いは領域１２１より低い。また、領域１２３は、領域１２１より凹凸度合いが大きいので、光沢度合いは領域１２１より低い。また、領域１２３は、領域１２２よりも凹凸度合いが大きいので、領域１２３の光沢度合いは領域１２２より低くなる。また、表面が粗くなればなるほど、光沢感が表現されなくなるので、領域１２１が最も光沢感が高く、次に、領域１２２の光沢感が高くなり、領域１２３が最も光沢感が低くなる。また、下層１０３の光沢度合いは、下層１０３の上面の凹凸の法線方向の分布の広がり具合によって変わる。例えば、凹凸の法線方向の分布の広がりが狭い場合は、光沢感が高くなり、凹凸の法線方向の分布の広がりが広い場合は光沢感が低くなる。領域１２３は、領域１２２より凹凸の法線方向の分布の広がり具合が広いとする。凹凸度合いが高くなればなるほど、凹凸の法線方向の分布の広がり具合が広くなる。表面の粗さは、凹凸の法線方向の分布の広がり具合を示す。
【００２９】
ここで、下層１０３は、表面層１０１及び画像層１０２の下にあるので、表面層１０１及び画像層１０２を透過した光が下層１０３に入射する。したがって、下層１０３には、画像層１０２の画像の色が付いた光が入射される。
【００３０】
下層１０３の凹凸によって鏡面反射、ヘイズ反射、拡散反射の光を調整することができる。下層１０３の凹凸の傾斜角度、つまり、表面角度調整によって、鏡面反射、ヘイズ反射、拡散反射の光を調整する。また、面積変調による表面角度調整を行ってもよい。インクの色毎に応じて、下層１０３の表面角度調整を行っても良い。
【００３１】
ここで、下層１０３の領域毎に付される凹凸の度合いは、画像層１０２で形成される画像の内容に応じて定められる。それぞれの領域の被写体を下層１０３で照からせたい度合いに応じて、下層１０３の上面の凹凸度合いが形成されてよい。また、例えば、画像層１０２で形成された画像のうち、Ｃ領域に下層１０３で光沢を持たせたい場合は、Ｃ領域に対応する下層１０３の領域、つまり、Ｃ領域の下にある下層１０３の領域の凹凸度合いを小さくする。また、画像層１０２で形成された画像のうち、Ｄ領域に下層１０３で光沢を持たせたくない場合は、Ｄ領域の下にある下層１０３の領域の凹凸度合いをＣ領域の凹凸度合いより大きくする。このように、画像層１０２で形成された画像のそれぞれの領域に持たせたい下層１０３による光沢度合いに応じて、下層１０３のそれぞれの領域の凹凸度合いを決める。また、下層１０３は、画像層１０２で形成される画像の被写体領域毎に異なる凹凸が形成されてよい。また、異なる凹凸の境界は、画像から定められる。また、異なる凹凸の境界は、被写体の境界であってもよい。
【００３２】
この下層１０３のそれぞれの領域の凹凸度合いは、ユーザが指定したそれぞれの領域の光沢度合いに応じて決まるようにしてもよく、また画像層１０２が形成した画像の画像データに基づいて自動的に決定された光沢度合いに応じて決まるようにしてもよい。下層１０３のそれぞれの領域は、予め定められた光沢度合いに応じて決められてよい。光沢度合いの自動決定は、画像データを解析することにより、被写体の種類毎に下層１０３の光沢度合いを決定してもよい。例えば、光沢のある被写体は光沢度合いを高く決定してもよい。被写体の種類毎に光沢度合いを記録したテーブルによって光沢度合いを自動的に決定してよい。また、「心理学評論Ｖｏｌ．５１．ＮＯ２」のページ２３５〜２４９に記載されているように、輝度ヒストグラムの歪みを評価することで光沢度合いを決定してもよい。また、被写体に写りこむ光源像の大きさ、光現像の強さに応じて光沢度合いを決定してもよい。また、下層１０３のそれぞれの領域の凹凸度合いを、ユーザが指定してもよい。下層１０３は、画像層１０２を透過した光を照射するので、画像層１０２の色が付いた光を反射する。また、下層１０３の上面は、第１の方向に凹凸が形成されてよい。また、下層１０３の上面は、第２の方向に凹凸が形成されなくてよい。第１の方向とは、画像層１０２が形成する画像の横方向であってよい。また、第２の方向とは、画像層１０２が形成する画像の縦方向であってよい。
【００３３】
このように、表面層１０１及び下層１０３のそれぞれの領域に凹凸を設けることにより、より質感を十分に表現することができ、質感の表現力を向上させることができる。例えば、表面層１０１は、凹凸度合いに応じて光沢度合いが変わるので、それぞれの領域の照かり度合いを変えることができる。例えば、図１に示すように、凹凸度合いが最も小さい表面層１０１の領域１１０は、輝きのある質感を表現することができる。ここで、表面層１０１に入射される光は、画像層１０２及び下層１０３に入射される光よりも多いので、表面層１０１の凹凸度合いが小さい領域は光沢感のある質感を表現しやすい。しかし、表面層１０１の上面で反射される光は、入射光の色と同じ色なので、画像の色で光沢感を出せない。例えば、入射光が蛍光灯の光の場合、反射される光は白色となり、輝く領域の画像の色が赤色等の有色であっても、該輝く領域は白色に見えてしまう。したがって、画像の色の光沢感を表面層１０１では表現できない。しかし、下層１０３に入射される光は、画像の色が付いた光なので、下層１０３の上面の凹凸度合いを変えることにより、画像の色の光沢感を表現できる。例えば、図２に示すように、凹凸度合いが最も小さい領域１２１は、光沢度合いが最も高いので、画像の色の光沢感を表現できる。また、凹凸度合いが最も大きい領域１２３は、画像の色の光沢感を低く表現することができる。なお、領域１２３は、領域１２２より凹凸の法線方向の広がり具合が広いものとする。これにより、画像層１０２のある領域に対応する表面層１０１の凹凸度合いと下層１０３の凹凸度合いとを組み合わせることにより、様々な質感を表現することができる。
【００３４】
図３は、表面層１０１、及び下層１０３に傾斜を設けたときの、表面層１０１を反射する光の様子の一例を示す。表面層１０１は、上面に、画像層１０２が形成する画像の部分領域毎に異なる傾斜を有する。図３を見ると、表面層１０１は、右下がりに傾斜している領域１３１と、傾斜のない領域１３２と、右上がりに傾斜している領域１３３とを有する。領域１３１は、右下がりに傾斜しているので、光が斜め左の方向から照射された場合、領域１３１に入射する光の鏡面反射の方向は、領域１３２に入射する光の鏡面反射の方向より低い。また、領域１３３は、右上がりに傾斜しているので、光が斜め左の方向から照射された場合は、領域１３３に入射する光の鏡面反射の方向は、領域１３２に入射する光の鏡面反射の方向より高い。鏡面反射とは、面に対して光の入射角と同じ角度の反射角で反射する光のことをいい、鏡面反射の方向とは、鏡面反射の光が進む方向のことをいう。このように、表面層１０１の領域に傾斜角度を設けることにより、表面層１０１を鏡面反射する方向を変えることができる。これにより、領域毎に輝いて見える方向を変えることができる。なお、表面層１０１を鏡面反射する光は、入射光と同じ色の光となる。また、表面層１０１の複数の領域は、横方向に沿って異なる傾斜を有してもよい。また、表面層１０１の領域毎に付される傾斜は、画像層１０２で形成される画像の内容に応じて定められる。また、表面層１０１の領域毎に付される傾斜は、画像層１０２で形成される画像の被写体領域毎に定めてもよい。また、表面層１０１の領域毎に付される傾斜を、ユーザが指定してよい。また、異なる傾斜の境界は、被写体の境界であってよい。また、表面層１０１の領域毎の傾斜は、領域毎に予め定められた鏡面反射の方向となるように付される。
【００３５】
図４は、表面層１０１、及び下層１０３に傾斜を設けたときの、下層１０３を反射する光の様子の一例を示す。下層１０３は、上面に、画像層１０２が形成する画像の部分領域毎に異なる傾斜を有する。図４を見ると、下層１０３は、右上がりに傾斜している領域１４１と、右下がりに傾斜している領域１４２と、傾斜のない領域１４３とを有する。領域１４１は、右上がりに傾斜しているので、光が左斜めの方向から照射された場合は、領域１４１に入射する光の鏡面反射の方向は、領域１４３に入射する光の鏡面反射の方向より高い。また、領域１４２は、右下がりに傾斜しているので、光が斜め左方向から照射された場合は、領域１４３に入射する光の鏡面反射の方向より低い。このように、下層１０３の領域に傾斜角度を設けることにより、下層１０３を鏡面反射する方向を変えることができる。これにより、領域毎に明るく見える方向を変えることができる。なお、下層１０３を鏡面反射する光は、画像層１０２を透過した光となり、画像層１０２によって色が付いた光となる。また、下層１０３の領域毎に付される傾斜は、画像層１０２で形成される画像の内容に応じて定められる。また、下層１０３の領域毎に付される傾斜は、画像層１０２で形成される画像の被写体領域毎に定めてもよい。また、下層１０３の領域毎に付される傾斜を、ユーザが指定してよい。また、異なる傾斜の境界は、被写体の境界であってよい。また、下層１０３の領域毎の傾斜は、領域毎に予め定められた鏡面反射の方向となるように付される。
【００３６】
なお、図４及び図５では、表面層１０１及び下層１０３に傾斜を付けることについて説明したが、傾斜をつけるとともに、傾斜の表面の粗さを変えるようにしてもよい。つまり、図３及び図４で説明した形態と、図１及び図２で説明した形態とを組み合わせた形態であってもよい。また、下層１０３の横方向に沿った複数の領域は異なる傾斜を有してもよい。
【００３７】
図５は、印刷物１００を看板、掲示板として利用したときの様子の一例を示す。印刷物１００を看板等にする場合は、印刷物１００の設置位置、印刷物１００に照射する光源１６１の位置、印刷物１００を観察する人の位置とから、光源１６１が照射した印刷物１００のそれぞれの領域に対する光の入射方向と、観察者の目１６２が看板のそれぞれの領域を見る観察方向を予め求めることができる。設置された印刷物１００に照射される光の入射方向及び観察方向に基づいて、印刷物１００の表面層１０１の領域毎の傾斜角度を形成する。光の入射方向と、観察方向とがわかっている場合は、画像の内容によって画像層１０２が形成する画像の部分領域毎の傾斜を定めてよく、被写体領域毎に凹凸を定めてもよい。また、光の入射方向と、観察方向とがわかっている場合は、画像層１０２が形成する画像の部分領域毎の光沢度合いに応じて、表面層１０１の傾斜角度を決めてもよく、領域毎に凹凸を定めてもよい。
【００３８】
例えば、キラキラと光沢を最も出したい領域は、光源１６１から照射された光の該領域における鏡面反射の方向が、該領域から目１６２がある方向、つまり、観察方向となるように、該領域に傾斜角度を付ければよい。また、光沢をある程度出したい領域は、光源１６１から照射された光の該領域における鏡面反射の方向が、観察方向とずれた方向となるように該領域に傾斜角度を付ければよい。この鏡面反射の方向と観察方向とのなす角が０度のときに鏡面反射の方向と観察方向は一致する。また、鏡面反射の方向と観察方向とのなす角が０度より大きい場合は、鏡面反射の方向と観察方向とのなす角がずれることになる。この鏡面反射の方向と、目１６２がある方向がずれればずれるほど、つまり、なす角が大きくなるほど、光沢度は下がることになり、光沢度合いに応じて傾斜を変えればよい。また、暗くしたい領域は、光源１６１から照射された光が該領域に入射しないように該領域に傾斜角度を付ければよい。鏡面反射の方向とは、光が入射した領域に対して鏡面反射する方向のことをいう。
【００３９】
図５を見ると、領域１５１は、光源１６１から照射された光の鏡面反射の方向が、目１６２がある観察方向となる傾斜角度を有するので、領域１５１は観察者にとって最も光沢感のある質感となる。また、領域１５２、領域１５３、及び領域１５４は、光源１６１から照射された光の鏡面反射の方向が、目１６２がある観察方向以外の方向となるような傾斜角度を有するので、領域１５２、領域１５３、及び領域１５４は、観察者にとって、領域１５１より光沢の度合いが小さい質感となる。このとき、領域１５２、領域１５３、及び領域１５４のうち、光源１６１から照射された光の鏡面反射の方向と、観察方向と最もずれがある領域１５４が、観察者にとって、一番光沢感がない領域となる。また、領域１５５には、光源１６１からの照射された光が入射しないので、観察者にとって暗い質感となる。なお、表面層１０１のそれぞれの領域の傾斜について説明したが、同様に下層１０３のそれぞれの領域に傾斜を付けてよい。つまり、下層１０３のそれぞれの領域で、画像の色の光沢感を出したい領域ほど、光源から入射した光の鏡面反射の方向が観察方向となるように傾斜を付けてもよい。また、暗い質感を出したい下領域の場合は、光源から入射した光が入射しないように傾斜を付けてもよい。
【００４０】
このように、光源からの光が入射する方向と、観察方向とがわかっている場合には、表面層１０１及び下層１０３のそれぞれの領域に傾斜を設けることにより、より質感を十分に表現することができる。例えば、表面層１０１のうち、照からせたい領域ほど、照射される光の鏡面反射の方向が、観察方向となるように傾斜を付けるので、様々な光沢感を表現することができる。また、下層１０３のうち、照からせたい領域ほど、照射される光の鏡面反射の方向が、観察方向となるように傾斜を付けるので、画像の色の光沢感を表現することができる。また、表面層１０１に領域毎に傾斜を付けるとともに、図１に示すように傾斜の表面の表面粗さを変えるようにしてもよい。また、下層１０３の領域毎に傾斜を付けるとともに、図２に示すような傾斜の表面の粗さを変えるようにしてもよい。なお、凹凸は傾斜も含むので、傾斜は凹凸の下位概念になる。つまり、表面の粗さも傾斜も凹凸の概念の中に入る。
【００４１】
なお、単に、光沢感を出したい領域の鏡面反射の方向が観察方向となるように、該領域に傾斜を付け、光沢感を出したくない領域の鏡面反射の方向は観察方向とならないように、該領域に傾斜を付けるようにしてもよい。
【００４２】
また、光沢度合いを高くしたい領域ほど、該領域に照射される光の鏡面反射の方向が、観察方向となるように傾斜を設けるようにしたが、光沢度合いを高くしたい領域ほど、該領域に含まれる複数の微小領域の鏡面反射の方向が、観察方向となる割合を高くしてよい。この場合は、それぞれの微小領域毎に傾斜を設ける。つまり、照からたい領域ほど、該領域に含まれる複数の微小領域のうち、鏡面反射の反射方向が、観察方向となる傾斜を有する微小領域の数の割合を大きくしてもよい。例えば、光沢度合いがレベル０からレベル１０まである場合に、レベル１０の光沢度合いを持たせたい領域の場合は、該領域に含まれる全ての微小領域の鏡面反射の方向が、観察方向となるように、全ての微小領域に傾斜を設けてよい。また、レベル５の光沢度合いを持たせたい領域の場合は、その中の５割の微小領域の鏡面反射の方向が、観察方向となるように、それぞれの微小領域に傾斜を設けてもよい。また、レベル１の光沢度合いを持たせたい領域の場合は、その中の１割の微小領域の鏡面反射の方向が、観察方向となるように、それぞれの微小領域に傾斜を設けてよい。このように、領域の光沢度合いに応じて、該領域の全体の傾斜を変えるのではなく、光沢度合いに応じて、該領域の複数の微小領域の傾斜をそれぞれ変えてもよい。微小領域とは、同一の法線成分と見做せるミクロな領域のことをいう。微小領域のサイズが小さければ肌理の細かい光沢感が得られる。また、微小領域が大きければ、肌理の粗い、ぎらつくような光沢感が得られる。一般的には肌理の細かい光沢感の方が好ましいが、表現によっては肌理の大きい光沢感で表現した方が好ましい場合もある。
【００４３】
図６は、本実施の形態の印刷物１００の形成する印刷物形成装置２００の一例を示す。印刷物形成装置２００は、光沢度取得部２０１、方向取得部２０２、傾斜算出部２０３、粗さ算出部２０４、下層形成部２０５、画像層形成部２０６、及び表面層形成部２０７を備える。
【００４４】
光沢度取得部２０１は、印刷物１００のそれぞれの領域の光沢度合いを取得する。光沢度取得部２０１は、下層形成部２０５が形成する下層１０３でのそれぞれの領域の光沢度合いを取得してもよい。また、光沢度取得部２０１は、表面層形成部２０７が形成する表面層１０１でのそれぞれの領域の光沢度合いを取得してもよい。表面層１０１及び下層１０３のそれぞれの領域は、画像層１０２が形成する画像の部分領域に対応する。この光沢度合いは、ユーザが指定してもよい。ユーザは、印刷する画像データのそれぞれの領域の表面層１０１での光沢度合い、下層１０３での光沢度合いを指定してもよい。また、光沢度取得部２０１は、印刷対象となる画像データを解析することにより、それぞれの領域の表面層１０１の光沢度合い、下層１０３の光沢度合いを自動的に決定してもよい。また、輝度ヒストグラムの歪みを評価することで光沢度合いを決定してもく、被写体に写りこむ光源像の大きさ、光現像の強さに応じて光沢度合いを決定してもよい。画像層１０２が形成する画像の部分領域毎の光沢度合いは、画像の内容によって定められる。また、画像層１０２が形成する画像の被写体領域毎に定められてもよい。
【００４５】
また、光沢度取得部２０１は、被写体の種類毎に、表面層１０１の光沢度と下層１０３の光沢度合い記録したテーブルを有してよい。光沢度取得部２０１は、画像データを解析して被写体の種類を検出することにより、検出した種類に応じて、該検出した種類の被写体の領域の表面層１０１の光沢度と、下層１０３の光沢度とをテーブルを用いて自動的に決定してもよい。例えば、光沢度合いが１０段階あり、被写体が鏡の場合は、表面層１０１の光沢度合いを１０、下層１０３の光沢度合いを０とする。また、被写体がテレビの場合は、表面層１０１の光沢度合いを５、下層１０３の光沢度合いを５とする。また、被写体がシャツの場合は、表面層１０１の光沢度合いを０、下層１０３の光沢度合いを５とする。光沢度合いの段階は、１０が最も光沢感有り、０が最も光沢感がないとする。光沢度取得部２０１は、取得した印刷物１００のそれぞれの領域の光沢度合いを傾斜算出部２０３及び粗さ算出部２０４に出力する。また、光沢度取得部２０１は、取得した表面層１０１のそれぞれの領域の光沢度合いを傾斜算出部２０３及び粗さ算出部２０４に出力してもよい。また、光沢度取得部２０１は、取得した下層１０３のそれぞれの領域の光沢度合いを傾斜算出部２０３及び粗さ算出部２０４に出力してもよい。
【００４６】
方向取得部２０２は、印刷物１００からみた光源１６１の光の入射方向、観察方向を取得する。この光源１６１の光の入射方向、観察方向はユーザが指定してもよい。また、看板を設置する場所と、光源１６１の光の入射方向及び観察方向とを対応付けたテーブルを有しており、ユーザが印刷物１００を設置する場所を指定することにより、光源１６１の光の入射方向及び観察方向をテーブルから取得するようにしてもよい。方向取得部２０２は、取得した光源１６１の光の入射方向、観察方向を傾斜算出部２０３と粗さ算出部２０４に出力する。なお、方向取得部２０２は、印刷物１００のそれぞれの領域に対する光源１６１の光の入射方向及び観察方向を取得してよい。
【００４７】
傾斜算出部２０３は、光沢度取得部２０１から送られてきた表面層１０１のそれぞれの領域の光沢度合い、及び、方向取得部２０２から送られてきた光源１６１の光の入射方向及び観察方向から、それぞれの領域の傾斜角度を算出する。つまり、光源１６１の方向から光が入射した場合に、それぞれの領域の鏡面反射の方向が、それぞれの領域の光沢度合いに対応する予め定められた方向となるような傾斜角度を算出する。ここで、それぞれの領域の光沢度合いに対応する方向とは、光沢度が小さくなるほど、鏡面反射の方向と観察方向とのなす角が大きくなる方向となる。鏡面反射の方向と観察方向とのなす角が大きくなればなるほど、観察者にとって光沢が少なく感じるからである。また、傾斜算出部２０３は、暗さを表現したい領域に対しては、光源１６１からの光が入射しない傾斜角度を算出してもよい。例えば、暗さを表現したい領域に対しては、該領域の面が光源１６１の光の入射方向と平行となるような傾斜角度を算出してもよい。この暗さを表現したい領域とは、例えば、光沢度が閾値以下の領域を、暗さを表現したい領域としてもよい。傾斜算出部２０３は、算出した表面層１０１のそれぞれの領域の傾斜角度を表面層形成部２０７に出力する。また、傾斜算出部２０３は、ユーザが指定した表面層１０１の領域毎に付される傾斜を表面層形成部２０７に出力してよい。なお、傾斜算出部２０３は、表面層１０１のそれぞれの領域の光沢度合い、及び、方向取得部２０２から送られてきた光源１６１の光の入射方向及び観察方向から、それぞれの領域に含まれる複数の微小領域の傾斜角度を算出してよい。
【００４８】
また、傾斜算出部２０３は、光沢度取得部２０１から送られてきた下層１０３のそれぞれの領域の光沢度合い、及び、方向取得部２０２から送られてきた光源１６１の光の入射方向及び観察方向から、それぞれの領域の傾斜角度を算出する。つまり、光源１６１の方向から光が入射した場合に、それぞれの領域の鏡面反射の方向が、それぞれの領域の光沢度合いに対応する予め定められた方向となるような傾斜角度を算出する。また、傾斜算出部２０３は、暗さを表現した領域に対しては、光源１６１からの光が入射しない傾斜角度を算出してもよい。傾斜算出部２０３は、算出した下層１０３のそれぞれの領域の傾斜角度を下層形成部２０５に出力する。また、傾斜算出部２０３は、ユーザが指定した下層１０３の領域毎に付される傾斜を下層形成部２０５に出力してよい。なお、傾斜算出部２０３は、下層１０３のそれぞれの領域の光沢度合い、及び、方向取得部２０２から送られてきた光源１６１の光の入射方向及び観察方向から、それぞれの領域に含まれる複数の微小領域の傾斜角度を算出してよい。
【００４９】
粗さ算出部２０４は、光沢度取得部２０１から送られてきた表面層１０１のそれぞれの領域の光沢度から、表面層１０１のそれぞれの領域の表面粗さを算出する。予め粗さ算出部２０４は、表面層１０１のそれぞれの光沢度合いに対応した表面粗さを記録したテーブルを有してよく、該テーブルから光沢度合いに応じた表面粗さを算出してもよい。粗さ算出部２０４は、算出した表面層１０１のそれぞれの表面粗さを表面層形成部２０７に出力する。また、粗さ算出部２０４は、光沢度取得部２０１から送られてきた下層１０３のそれぞれの領域の光沢度から、下層１０３のそれぞれの領域の表面粗さを算出する。また、下層１０３のそれぞれの光沢度合いに応じた表面粗さを記録したテーブルを有してよく、該テーブルから光沢度合いに応じた表面粗さを算出してもよい。また、粗さ算出部２０４は、算出した下層１０３のそれぞれの領域の表面粗さを下層形成部２０５に出力する。粗さ算出部２０４は、ユーザが指定した表面層１０１の領域毎に付される粗さを表面層形成部２０７に出力してもよい。また、粗さ算出部２０４は、ユーザが指定した下層１０３の領域毎に付される粗さを下層形成部２０５に出力してよい。
【００５０】
下層形成部２０５は、上面の領域毎に凹凸の付いた下層１０３を形成する。下層形成部２０５は、粗さ算出部２０４が表面粗さを算出した場合は、下層１０３のそれぞれの領域の表面粗さに応じて、領域毎に凹凸の付いた下層１０３を形成する。下層形成部２０５は、傾斜算出部２０３が傾斜角度を算出した場合は、下層１０３のそれぞれの領域の傾斜角度に応じて、領域毎に下層１０３のそれぞれの上面に凹凸を付けて、つまり傾斜を付けて下層１０３を形成する。例えば、光沢度合いが１０段階あり、光沢度合いが１０の領域は、鏡面反射の方向が、観察方向となるように傾斜を設けてよい。また、光沢度合いが５の領域は、鏡面反射の方向が、観察方向とのなす角が４５度と成るように傾斜を設けてよい。また、光沢度合いが１０段階あり、光沢度合いが１０の領域は、その中の全ての微小領域の鏡面反射の方向が、観察方向となるように傾斜を設けてよい。また、光沢度合いが５の領域は、その中の５割の微小領域の鏡面反射の方向が、観察方向となるように傾斜を設けてよい。つまり、光沢度合いが高い領域ほど、領域の複数の微小領域の鏡面反射の方向が、観察方向となる割合を大きくしてよい。
【００５１】
下層形成部２０５は、傾斜算出部２０３及び粗さ算出部２０４が傾斜角度及び表面粗さをそれぞれ算出した場合は、それぞれの領域の傾斜角度及び表面粗さに基づいて、領域毎に凹凸を付けて下層１０３を形成する。下層形成部２０５、印刷紙などの紙の上面を削ることにより領域毎に凹凸を付けて下層を形成してもよい。また、平面状の木の上面を削ることにより下層を形成してもよい。また、下層形成部２０５は、印刷紙などの紙にインクを噴出することにより領域毎に凹凸を付けて下層を形成してもよい。また、印刷紙などの紙に発泡インクを付着させて、下層形成部２０５は、発泡インクを発泡させて凹凸を形成してもよい。さらに、拡散性のインクを塗布して表面粗さを形成してもよい。また、面積変調による表面角度調整も行ってよい。また、下層形成部２０５は、粗さ算出部２０４が算出した粗さのみに応じて下層１０３を形成してもよく、傾斜算出部２０３が算出した傾斜角度のみに応じて下層１０３を形成してもよい。
【００５２】
画像層形成部２０６は、印刷対象となる画像データを取得する。画像層形成部２０６は、取得した画像データの画像を、下層形成部２０５が形成した下層１０３の上に印刷をすることにより、下層１０３の上に画像層１０２を形成する。また、画像層形成部２０６は、面積変調による色・濃度調整を行ってもよい。画像層形成部２０６は、インクジェット方式、ドットインパクト方式、乾式電子写真方式などにより印刷してもよい。また、画像層形成部２０６は、レーザープリンタ、インクジェットプリンタなどの印刷機器を有してよい。また、プログラムを読み込んだＣＰＵ等の情報処理装置がプ、印刷機器を画像層形成部２０６として機能してもよい。
【００５３】
表面層形成部２０７は、画像層１０２の上に領域毎に異なる凹凸のついた表面層１０１を形成する。表面層形成部２０７は、粗さ算出部２０４から送られてきた表面層１０１のそれぞれの領域の表面粗さに応じて、領域毎に凹凸の付いた表面層１０１を形成する。表面層形成部２０７は、傾斜算出部２０３から送られてきた表面層１０１のそれぞれの領域の傾斜角度に応じて、傾斜毎に表面層１０１のそれぞれの上面に凹凸を付けて、つまり傾斜を付けて表面層１０１を形成する。例えば、光沢度合いが１０段階あり、光沢度合いが１０の領域は、鏡面反射の方向が、観察方向となるように傾斜を設けてよい。また、光沢度合いが５の領域は、鏡面反射の方向が、観察方向とのなす角が４５度と成るように傾斜を設けてよい。また、光沢度合いが１０段階あり、光沢度合いが１０の領域は、その中の全ての微小領域の鏡面反射の方向が、観察方向となるように傾斜を設けてよい。また、光沢度合いが５の領域は、その中の５割の微小領域の鏡面反射の方向が、観察方向となるように傾斜を設けてよい。つまり、光沢度合いが高い領域ほど、領域の複数の微小領域の鏡面反射の方向が、観察方向となる割合を大きくしてよい。
【００５４】
表面層形成部２０７は、傾斜算出部２０３及び粗さ算出部２０４から送られてきた、それぞれの領域の傾斜角度及び粗さに基づいて、領域毎に凹凸を付けて表面層１０１を形成する。また、表面層形成部２０７は、画像層１０２の上に光沢フィルムを貼り付け、該光沢フィルムの上面を削ることにより領域毎に凹凸を付けて表面層を形成してもよい。表面層形成部２０７は、光沢インク又は透明インクを噴出することにより領域毎に凹凸を付けて下層を形成してもよい。また、表面層形成部２０７は、粗さ算出部２０４が算出した粗さのみに応じて表面層１０１を形成してもよく、傾斜算出部２０３が算出した傾斜角度のみに応じて表面層１０１を形成してもよい。この下層形成部２０５、画像層形成部２０６、表面層形成部２０７により形成された物が図１から図５に示した印刷物１００となる。なお、下層形成部２０５及び表面層形成部２０７は、キャンパス風、和紙風といった予め定められた幾何学的な模様の形状を、下層１０３及び表面層１０１にそれぞれ施してもよい。これにより、質感をさらに表現することができる。
【００５５】
光沢度取得部２０１、方向取得部２０２、傾斜算出部２０３、粗さ算出部２０４、下層形成部２０５、画像層形成部２０６、及び表面層形成部２０７のそれぞれは、コンピュータなどの情報処理装置を用いて実現してもよく、電子回路などを用いて実現してもよい。また、印刷物形成装置２００を、所定のプログラムを読み込んだ情報処理装置によって実現してもよい。また、印刷物形成装置は、特定のプログラムを記録する記録媒体を備えるようにしてもよい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００５８】
【図１】本実施の形態の印刷物１００の一例、及び、表面層１０１を反射する光の様子の一例を示す。
【図２】本実施の形態の印刷物１００の一例、及び、下層１０３を反射する光の様子の一例を示す。
【図３】表面層１０１、及び下層１０３に傾斜を設けたときの、表面層１０１を反射する光の様子の一例を示す。
【図４】表面層１０１、及び下層１０３に傾斜を設けたときの、下層１０３を反射する光の様子の一例を示す。
【図５】印刷物１００を看板、掲示板などに代用したときの様子の一例を示す。
【図６】本実施の形態の印刷物１００の印刷物形成装置２００の一例を示す。
【符号の説明】
【００５９】
１００  印刷物、１０１  表面層、１０２  画像層、１０３  下層、１１０  領域、１１１  領域、１１２  領域、１２１  領域、１２２  領域、１２３  領域、１３１  領域、１３２  領域、１３３  領域、１４１  領域、１４２  領域、１４３  領域、１５１  領域、１５２  領域、１５３  領域、１５４  領域、１５５  領域、１６１  光源、１６２  目、２００  印刷物形成装置、２０１  光沢度取得部、２０２  方向取得部、２０３  傾斜算出部、２０４  粗さ算出部、２０５  下層形成部、２０６  画像層形成部、２０７  表面層形成部
【図１】
2011000870.tif 000003
【図２】
2011000870.tif 000004
【図３】
2011000870.tif 000005
【図４】
2011000870.tif 000006
【図５】
2011000870.tif 000007
【図６】
2011000870.tif 000008